(57)【要約】    【課題】  表示体のモニタ表示部の表示形態を縦長表示のものと横長表示のものとに簡単に切り替えることのできるカメラカメラを提供する。    【解決手段】  本体１０と、撮影レンズ４０と、撮影レンズからの被写体像を光電変換する長方形の撮像素子とを有する撮影手段と、長方形のモニタ表示部３２を有して、前記撮影手段によって撮影された画像をモニタ表示部に表示する表示体３０と、を備えるカメラ１であって、前記表示体３０は、本体１０に対して斜め４５度の角度で軸支されており、表示部３０が初期位置と回転位置との間で大略１８０度の角度で回動する。【選択図】図４
2006340245.tif 000002
【特許請求の範囲】
【請求項１】
本体と、
撮影レンズと、撮影レンズからの被写体像を光電変換する長方形の撮像素子とを有する撮影手段と、
長方形のモニタ表示部を有して、前記撮影手段によって撮影された画像をモニタ表示部に表示する表示体と、を備えるカメラであって、
前記表示体は、本体に対して斜め４５度の角度で軸支されており、表示部が初期位置と回転位置との間で大略１８０度の角度で回動することを特徴とするカメラ。
【請求項２】
前記表示体の回動運動は、回転規制手段によって規制されていることを特徴とする、請求項１記載のカメラ。
【請求項３】
前記表示体の位置を検出する位置検出手段を備え、位置検出手段から得られた表示体位置情報に応じて、モニタ表示部に表示される画像を縦長表示形態又は横長表示形態に切り替えることを特徴とする、請求項１記載のカメラ。
【請求項４】
前記撮影手段は、本体又は表示体のいずれかに配設されていることを特徴とする、請求項１記載のカメラ。
【請求項５】
撮影手段が表示体に配設されている場合には、撮影レンズがモニタ表示部と反対側に配設されていることを特徴とする、請求項４記載のカメラ。
【請求項６】
撮影手段が表示体に配設されている場合には、撮像素子の長手方向とモニタ表示部の長手方向とが一致していることを特徴とする、請求項５記載のカメラ。
【請求項７】
撮影手段が本体に配設されている場合、初期位置において、撮影レンズがモニタ表示部と同じ側に位置しているとともに、撮像素子の長手方向とモニタ表示部の長手方向とが直交していることを特徴とする、請求項４記載のカメラ。
【発明の詳細な説明】
【技術分野】
【０００１】
本発明は、モニタ表示部付きのカメラに関し、詳細には、回転可能な表示体に設けられたモニタ表示部を有するデジタルカメラやカメラ付き携帯電話やデジタルビデオカメラ等に関する。
【背景技術】
【０００２】
撮影中の画像をリアルタイムでモニタしたり、撮影済みの画像をモニタしたりするためのモニタ表示部を有するカメラがある。
【０００３】
表示される撮影画像に応じて、モニタ表示部での撮影画像の表示形態を変更するために、モニタ表示部の位置及び向きを変更するための変更手段が開示されている（例えば、特許文献１乃至４を参照。）。
【０００４】
特許文献１は、折り畳み式携帯通信端末に関し、折り畳んだ状態から表示体を開くための第一軸と、開いた状態の表示体を反対面側に回転させる第二軸という二軸回転構造のものを開示している。二軸回転構造のものは、その回転軸構造が複雑になるとともに、電気的な接続構造も複雑になる。また、二軸回転構造のものは、第一軸を中心にして表示体を回動させる第一段階と、第二軸を中心にして表示体を回動させる第二段階という二段階構成で操作させる必要があるので、位置変更操作も複雑になっている。
【０００５】
特許文献２は、折り畳み型携帯電話機に関し、折り畳んだ状態から表示体を開くためのヒンジ部と、開いた状態の表示体を回転させるとともにスライドさせる回転スライド機構とを有するものを開示している。特許文献１と同様に、ヒンジ部及び回転スライド機構という２つの回転機構とスライド機構を有するものは、それら構造が複雑になるとともに、電気的な接続構造も複雑になる。また、ヒンジ部を中心にして表示体を回動させる第一段階と、回転スライド機構を中心にして表示体を回動させる第二段階と、回転スライド機構に沿って表示体をスライドさせる第三段階という三段階構成で操作させる必要があるので、位置変更操作も複雑になっている。
【０００６】
特許文献３は、ビデオカメラに関し、特許文献１と同様の二軸回転構造のものを開示している。特許文献３における二軸回転構造のものも、特許文献１と同様と同様に、その回転軸構造や電気的接続構造が複雑であり、位置変更操作も複雑であるという問題を有している。
【０００７】
特許文献４は、電子カメラに関し、表示体を回転させて反対側に向いたときに表示部上の表示方向を切り替える技術を開示している。
【０００８】
【特許文献１】特開２００３−３０４３１６号公報
【特許文献２】特開２００３−３１９０４３号公報
【特許文献３】特開平０８−１２５８９０号公報
【特許文献４】特開平１０−１６４４２６号公報
【発明の開示】
【発明が解決しようとする課題】
【０００９】
したがって、本発明の解決すべき技術的課題は、表示体のモニタ表示部の表示形態を縦長表示のものと横長表示のものとに簡単に切り替えることのできるカメラを提供することである。
【課題を解決するための手段および作用・効果】
【００１０】
上記技術的課題を解決するために、本発明によれば、以下のカメラが提供される。
【００１１】
すなわち、本発明に係るカメラは、本体と、撮影レンズと、撮影レンズからの被写体像を光電変換する長方形の撮像素子とを有する撮影手段と、長方形のモニタ表示部を有して、前記撮影手段によって撮影された画像をモニタ表示部に表示する表示体と、を備えるカメラであって、前記表示体は、本体に対して斜め４５度の角度で軸支されており、表示部が初期位置と回転位置との間で大略１８０度の角度で回動することを特徴とする。
【００１２】
上記カメラによれば、表示体が本体に対して斜め４５度の角度で一軸で軸支されているので、初期位置にある表示体を１８０度の角度で回転させると、表示体は、その表裏が反転するとともに縦横の関係も反対になった回転位置になる。例えば、内側を向いていて隠されていた縦長のモニタ表示部が外側を向いて露出するとともに、横長に位置するようになる。したがって、一軸の軸支構造であるので、構造自体が簡単であり使用時の回動操作もスムーズである。
【００１３】
好ましくは、表示体の回動運動は、回転規制手段によって規制されている。
【００１４】
上記構成によれば、表示体が一方の側の往復回転運動となるので、表示体と本体とをつなぐ接続ケーブルのねじれが防止される。
【００１５】
表示体の位置を検出する位置検出手段を備え、位置検出手段から得られた表示体位置情報に応じて、モニタ表示部に表示される画像を縦長表示形態又は横長表示形態に切り替える。
【００１６】
上記構成によれば、位置検出手段によって表示体の位置情報が得られ、得られた表示体位置情報、すなわち初期位置にあるか回転位置にあるか、によってモニタ表示部に表示される画像を縦長表示形態又は横長表示形態のいずれか一方の適切な表示形態で表示させることができる。
【００１７】
撮影手段は、本体又は表示体のいずれかに配設されている。
【００１８】
通常の撮影対象は複数人物や風景等の横長の被写体であるので、被写体の撮影状況を確認するために、モニタ表示部が使用者の方に向いて、撮影レンズが被写体の方を向いている必要がある。
【００１９】
したがって、撮影手段が表示体に配設されている場合には、撮影レンズがモニタ表示部と反対側に配設されている。
【００２０】
撮影手段が表示体に配設されている場合には、表示体の一方の側にあるモニタ表示部と表示体の他方の側にある撮影手段とが一体で回動するので、撮像方向と表示方向とが一致していること、すなわち、撮像素子の長手方向とモニタ表示部の長手方向とが一致していることが好ましい。
【００２１】
また、撮影手段が本体に配設されている場合、初期位置において、撮影レンズがモニタ表示部と同じ側に位置しているとともに、撮像素子の長手方向とモニタ表示部の長手方向とが直交している。
【００２２】
上記構成によれば、初期位置では、撮影レンズが使用者の方を向いていて、被写体の一部がモニタ表示部に表示されることになるが、このような撮影は副次的なものである。これに対して、主たる撮影対象は複数人物や風景等の横長の被写体であるので、回転位置では、撮影レンズが複数人物や風景等の方を向いていて、複数人物や風景等の横長の被写体の全部が横長のモニタ表示部に表示される。
【発明を実施するための最良の形態】
【００２３】
以下に、本発明の第一実施形態に係るデジタルカメラ１について、図１乃至５を参照しながら詳細に説明する。なお、本発明は、ビデオカメラにも適用可能である。
【００２４】
図１は、本発明の第一実施形態に係るデジタルカメラ１の説明図である。（Ａ）は表示体３０が初期位置にあることを示す正面図であり、（Ｂ）は（Ａ）の背面図であり、（Ｃ）は表示体３０が回転位置にあることを示す正面図であり、（Ｄ）は（Ｃ）の背面図である。図２は、図１に示したデジタルカメラ１のブロック図である。図３は、図１に示したデジタルカメラ１の回転軸支部５０を拡大した図である。図４は、図１に示したデジタルカメラ１の動作を説明するフローチャートである。図５は、図１に示したデジタルカメラ１の使用形態を説明する図である。（Ａ）は初期位置での自分撮影を示しており、（Ｂ）は回転位置ので通常撮影を示している。
【００２５】
図１に示すように、縦長のデジタルカメラ１は、表示部３０を上部に、本体１０を下部にそれぞれ備えている。
【００２６】
本体１０は、全体として縦長の長方形形状をした筐体１２と、筐体１２の上端部から上方に延在する支柱部１４と、を有している。筐体１２の内部には、デジタルカメラ１を作動させるための各種回路が収納されている。筐体１２のおもて面には、撮影レンズ４０が配設されている。筐体１２のうら面には、回転釦２３やメニュー釦２４やフラッシュ釦２６が配設されている。また、筐体１２の一方の側面には、レリーズ釦２０が配設されている。
【００２７】
撮影レンズ４０の背後には撮像素子（不図示）としてのＣＣＤが配置されている。ＣＣＤは、被写体像を電気信号に光電変換するための電荷結合素子であり、相補型ＭＯＳ（ＣＭＯＳ）等も使用可能である。撮像素子の受光部は、一般に長方形をしており、図１に示したものでは、受光部の長手方向が筐体１２の水平方向（図１の短辺方向）に延在している。すなわち、受光部の長手方向は、初期位置でのモニタ表示部３２の長手方向に直交する方向に延在している。
【００２８】
図３によく示されているように、支柱部１４の上端部には、支柱部１４の延在方向に対して４５度の角度で傾斜した傾斜面１３が設けられている。支柱部１４の内部には支持パイプ１５が挿通されている。支持パイプ１５の内部には筐体１２内の制御部６０から延在するフレキシブルな接続ケーブル６２が挿通されている。そして、接続ケーブル６２がモニタ表示部３２に接続されている。支持パイプ１５の上端部は、支柱部１４の延在方向に対して４５度の角度で屈曲している。軸支突出部３５が支持パイプ１５の最先端に設けられており、軸支突出部３５は、先細のテーパー形状をしている。
【００２９】
支柱部１４の下部の内部には、位置検出手段としての表示部検出スイッチＡ６４，表示部検出スイッチＢ６６が離間配置されている。表示部検出スイッチ６４，６６としては、例えば、プッシュスイッチのような機械的なものや、フォトリフレクタのような光学的なものが使用される。上方に配置された表示部検出スイッチＡ６４は、初期位置及び回転位置のいずれの位置においても、表示部３０に対して近接するのでＯＮ状態になるが、その途中の位置においては表示部３０に対して離間するのでＯＦＦ状態になる。下方に配置された表示部検出スイッチＢ６６は、初期位置においても、表示部３０に対して近接するのでＯＮ状態になるが、回転位置及び途中位置においては表示部３０に対して離間するのでＯＦＦ状態になる。なお、表示部検出スイッチＡ６４，表示部検出スイッチＢ６６を表示部３０の側に設けることも可能である。さらに、他の形態の表示部検出スイッチとして、例えば、エンコーダのような電気的スイッチを表示部３０の側の軸支突出部３５の近傍に設けることも可能である。
【００３０】
全体として縦長の長方形形状をした表示部３０の一方の面には、液晶ディスプレイやプラズマディスプレイや有機ＥＬディスプレイ等からなるモニタ表示部３２が配設されている。図１の（Ａ）に示す初期位置（収納位置）では、モニタ表示部３２は、その長手方向が縦方向（垂直方向）に延在する縦長表示形態にある。また、図１の（Ｄ）に示す回転位置では、モニタ表示部３２は、その長手方向が横方向（水平方向）に延在する横長表示形態にある。図１の（Ａ）に示すように、表示部３０の左上コーナー部が斜め４５度の角度で切り欠かれていて、傾斜面３３を形成している。表示部３０の傾斜面３３は、支柱部１４の傾斜面１３に対向している。
【００３１】
図３によく示されているように、傾斜面３３の内側には、軸支受部３４が配設されている。軸支受部３４には軸支突出部３５が挿通されていて、軸支突出部３５が軸支受部３４と回転可能に係合している。つまり、軸支突出部３５及び軸支受部３４は、軸支部５０を構成している。したがって、表示部３０は、軸支突出部３５及び軸支受部３４からなる軸支部５０を介して、本体１０支柱部１４に対して４５度の角度をなす回転軸５２を中心にして軸支されている。また、本体１０と表示部３０との間には、若干の隙間が設けられており、表示部３０は本体１０に対して回動することができる。なお、軸支受部３４と軸支突出部３５との間には、回転規制機構が設けられている。例えば、軸支突出部３５の外周面に突起を設けておき、軸支受部３４には当該突起に係合する１８０度の切欠を設けた構造とすることにより、表示体３０が、３６０度グルグルと回転するのではなく、その半分の１８０度の角度しか回転しないように構成することができる。したがって、表示部３０が０度と１８０度との間を往復回転するだけであるので、接続ケーブル６２のねじれが防止される。
【００３２】
図１の（Ａ）に示す初期位置では、表示部３０が回転空間１９内に収納されていて、モニタ表示部３２は、その長手方向が縦方向（垂直方向）に延在する縦長表示形態にある。初期位置にある表示部３０を回転軸５２を中心にして大略１８０度の角度で時計回りに回転させると、表示部３０は図１の（Ｄ）に示した回転位置になる。回転位置では、表示部３０が横方向（水平方向）に延在していて、モニタ表示部３２は、その長手方向が横方向（水平方向）に延在する横長表示形態にある。図１の（Ｄ）に示した回転位置にある表示部３０を回転軸５２を中心にして大略１８０度の角度で反時計回りに回転させると、表示部３０は図１の（Ａ）に示した初期位置に戻る。
【００３３】
図１に示したデジタルカメラ１では、ＣＣＤによって撮影した画像はメモリーカード装着部を介してメモリカードに記録される。カメラ全体の動作は、マイクロコンピュータであって、撮影機能及び再生機能を集中制御するＣＰＵ（中央演算処理装置）によって制御される。
【００３４】
本体１０に設けられたレリーズ釦２０や回転釦２３やメニュー釦２４やフラッシュ釦２６の操作に応じて、各種信号がＣＰＵに入力される。
【００３５】
被写体像は、撮影レンズ４０及び絞りを介して撮像素子としてのＣＣＤの受光部に結像される。撮影レンズ４０は、測距手段で測定された被写体までの距離に基づいて、ＣＰＵ及び焦点制御部によって制御される焦点用モータ（レンズ駆動部）によって駆動される。また、測光モジュール（測光手段）によって測定された測光値に基づいて、被写体輝度（ＥＶ値）が算出される。被写体輝度（ＥＶ値）から、絞りやシャッタ等の露出量が最適化される。
【００３６】
ＣＣＤに蓄積された信号電荷は、光電変換されて、タイミング制御回路から加えられる読み出し信号に基づいて信号電荷に応じた電圧信号として読み出される。ＣＣＤから読み出された電圧信号は、Ａ／Ｄ変換器、黒レベル補正回路、ホワイトバランス補正回路、ガンマ補正回路等の信号・画像処理部によって、信号処理及び画像処理が行われる。このような各種処理された画像データは、画像メモリに一時的に保持される。
【００３７】
画像メモリに保持された画像データは、ＶＲＡＭに入力されたあと、モニタ表示部３２に出力される。その結果、被写体像がモニタ表示部３２上にライブビュー表示として表示される。
【００３８】
上述したように、表示部検出スイッチＡ６４，表示部検出スイッチＢ６６のＯＮ／ＯＦＦによって、表示体３０の位置が検出される。すなわち、表示部検出スイッチＡ６４，表示部検出スイッチＢ６６の両方がＯＮであるならば、表示体３０が図１の（Ａ）に示した初期位置にある。表示部検出スイッチＡ６４がＯＮで表示部検出スイッチＢ６６がＯＦＦであるならば、表示体３０が図１の（Ｄ）に示した回転位置にある。また、表示部検出スイッチＡ６４，表示部検出スイッチＢ６６の両方がＯＦＦであるならば、表示体３０が初期位置及び回転位置のいずれでもない、回転途中の中間位置にある。したがって、表示部検出スイッチＡ６４，表示部検出スイッチＢ６６のそれぞれが、ＯＮ／ＯＦＦのいずれであるかという情報から、表示体３０の位置情報を得ることができる。
【００３９】
次に、図４及び６を参照しながら、第一実施形態に係るデジタルカメラ１の動作について説明する。
【００４０】
ステップＳ１００において、撮影動作が開始する。電源スイッチのＯＮ／ＯＦＦが判断される（ステップＳ１０２）。各種チェック動作を行いながらカメラ１が起動する（ステップＳ１０４）。ステップＳ１０６において、カメラ１による撮影動作が開始する。
【００４１】
ステップＳ１０８において、表示体３０が縦位置（初期位置）にあるのか横位置（回転位置）にあるのかが判断される。表示体３０が縦位置にあるのであれば、図６の（Ａ）に示した使用者自身といった縦長の被写体を撮影すると判断して、使用者のライブビューがモニタ表示部３２の一部を使って表示される（ステップＳ１１０）。表示体３０が横位置にあるのであれば、図６の（Ｂ）に示した複数人物や風景等の横長の被写体を撮影すると判断して、被写体のライブビューがモニタ表示部３２の全面に表示される（ステップＳ１０９）。
【００４２】
レリーズ釦２０の半押しにより、測光動作及び合焦動作を行ったあと、ステップＳ１１２において、レリーズ釦２０が全押しされているか否かが判断される。レリーズ釦２０が全押しされていない場合、ステップＳ１０６の前まで戻る。
【００４３】
ステップＳ１１４において、シャッタが開いて露光が実行される。撮影された画像は画像処理が行われたあと、画像処理後の画像がメモリカードに記録される（ステップＳ１１６）。電源スイッチのＯＮ／ＯＦＦが判断されたあと（ステップＳ１０２）、電源スイッチがＯＦＦであるならば、一連の撮影動作が終了する（ステップＳ１２０）。
【００４４】
次に、本発明の第二実施形態に係るデジタルカメラ１について図６を参照しながら説明する。基本的な構成は第一実施形態のものと同じであるので、それらの詳細な説明を省略し、第一実施形態との相違点を中心に説明する。
【００４５】
つまり、第一実施形態との主たる相違点は、第二実施形態に係るデジタルカメラ１では、撮影レンズ４０が表示体３０のモニタ表示面３２の反対側に配設されていること、表示部３０が支柱部１４に当接して回転が規制されていること、及び、初期位置において表示部３０が本体１０の筐体１２によって部分的に覆われていることである。
【００４６】
図６の（Ａ）に示すように、撮影レンズ４０が表示体３０のモニタ表示面３２の反対側に配設されている。したがって、撮影レンズ４０は、初期位置（収納位置）ではおもて側に位置し、回転位置ではうら側に位置している。初期位置では、受光部の長手方向が筐体１２の垂直方向（図６の長辺方向）に延在している。すなわち、初期位置でのモニタ表示部３２の長手方向と並行な方向に延在している。また、モニタ表示部３２が、その長手方向が縦方向（垂直方向）に延在する縦長表示形態にあるが、この場合は後述するような保護機能により、初期位置で画像がモニタ表示部３２に表示されることはない。
【００４７】
また、図６の（Ａ）に示すように、表示部３０の右側端部が支柱部１４に部分的に重なることにより表示部３０の回転が規制されており、支柱部１４が回転規制手段として機能している。図６の（Ｂ）に示すように、初期位置において、表示部３０が本体１０の筐体１２によって部分的に覆われている。したがって、筐体１２の上部が保護部材となって、モニタ表示面３２を部分的に保護する。
【００４８】
係止解除釦２８を押下すると表示体３０に対するロックが解除されて、回転軸５２を中心にして表示部３０を本体１０に対して斜め４５度の角度で回転させることにより、表示部３０は、図６の（Ｃ）に示した回転位置になる。この回転位置では、モニタ表示部３２が、その長手方向が横方向（水平方向）に延在する横長表示形態となっている。したがって、複数人物や風景等の横長の被写体を撮影するのに好適である。また、表示体３０で隠されていたレリーズ釦２０及びジョグダイアル２２が露出するようになる。
【００４９】
なお、表示体３０又は支柱部１４の内部に、表示体３０を自動的に回転させる公知の回転機構を設けておいて、係止解除釦２８の押下操作に連動して、表示体３０を初期位置と回転位置との間で自動的に回転駆動するようにすることもできる。
【００５０】
次に、本発明の第三実施形態に係るデジタルカメラ１について図７及び８を参照しながら説明する。基本的な構成は第一実施形態のものと同じであるので、それらの詳細な説明を省略し、第一実施形態との相違点を中心に説明する。
【００５１】
つまり、第一実施形態との主たる相違点は、第三実施形態に係るカメラ付き携帯電話２では、携帯電話用の操作釦４６が設けられていること、及び、撮影レンズ４０が表示体３０のモニタ表示面３２の反対側に配設されていることである。
【００５２】
図７の（Ａ）に示すように、撮影レンズ４０が表示体３０のモニタ表示面３２の反対側に配設されている。したがって、撮影レンズ４０は、初期位置（収納位置）ではおもて側に位置し、図７の（Ｂ）に示すように、回転位置ではうら側に位置している。初期位置では、モニタ表示部３２の長手方向が筐体１２の垂直方向（図７の長辺方向）に延在して縦長表示形態にあるとともに、受光部の長手方向が筐体１２の垂直方向（図７の長辺方向）に延在している。すなわち、初期位置でのモニタ表示部３２の長手方向と並行な方向に延在している。したがって、初期位置では、通話先番号や通話時間や現在時間等の文字情報を表示したり、複数人物や風景等の横長の被写体を縦長で撮影した画像を縦長で表示することができる。また、モニタ表示部３２が、撮影レンズ４０との反対側にあるために撮影状況をライブビューで確認することは難しいものの、使用者自身を撮影することは不可能ではない。
【００５３】
また、図７の（Ａ）に示すように、本体１０のおもて面に携帯電話用の操作釦４６が設けられていて、携帯電話として使用することができる。
【００５４】
回転軸５２を中心にして表示部３０を本体１０に対して斜め４５度の角度で手動で回転させることにより、表示部３０は、図７の（Ｂ）に示した回転位置になる。この回転位置では、モニタ表示部３２が、その長手方向が横方向（水平方向）に延在する横長表示形態となっている。また、受光部の長手方向も筐体１２の水平方向（図７の短辺方向）に延在している。したがって、複数人物や風景等の横長の被写体を撮影するのに好適である。
【００５５】
次に、図８を参照しながら、第三実施形態に係るカメラ付き携帯電話２の動作について説明する。
【００５６】
ステップＳ２００において、カメラ付き携帯電話２の動作が開始する。ステップＳ２０２において、電源スイッチがＯＮになると、各種チェック動作を行いながらカメラ付き携帯電話２が起動する。
【００５７】
表示部検出スイッチＡ６４，表示部検出スイッチＢ６６によって、表示体３０が縦位置（初期位置）にあるのか横位置（回転位置）にあるのかが判断される（ステップＳ２０４）。表示体３０が縦位置にあるのであれば、使用者が電話機能を利用すると判断して、携帯電話に関係する回路が動作可能状態になって（ステップＳ２０６）、携帯電話機能が起動する（ステップＳ２０８）。通話先番号や通話時間や現在時間等の文字情報が、縦長表示形態にあるモニタ表示部３２上に表示される（ステップＳ２１０）。
【００５８】
他方、表示体３０が横位置にあるのであれば、複数人物や風景等の横長の被写体を撮影すると判断して、カメラに関係する回路や機構が動作可能状態になって（ステップＳ２１２）、カメラが起動する（ステップＳ２１４）。被写体のライブビューが横長表示形態にあるモニタ表示部３２に表示される（ステップＳ２１６）。
【００５９】
レリーズ釦２０の半押しにより、測光動作及び合焦動作を行ったあと、レリーズ釦２０が全押しされると、シャッタが開いて露光が実行される。撮影された画像は画像処理が行われたあと、画像処理後の画像がメモリカードに記録される。電源スイッチがＯＦＦになると（ステップＳ２２０）、一連の撮影動作が終了する（ステップＳ２２２）。
【００６０】
次に、本発明の第四実施形態に係るデジタルカメラ１について図９及び１０を参照しながら説明する。基本的な構成は第一実施形態のものと同じであるので、それらの詳細な説明を省略し、第一実施形態との相違点を中心に説明する。
【００６１】
つまり、第一実施形態との主たる相違点は、第四実施形態に係るデジタルカメラ１では、表示体３０が本体１０の筐体１２内部に完全に収納されていること、表示体３０の四辺が等しいこと、撮影レンズ４０が表示体３０のモニタ表示面３２の反対側に配設されていること、及びレリーズ釦２０を初期位置と回転位置とで別の釦を使用できることである。
【００６２】
図９に示すように、正方形の表示体３０が、横長に延在する筐体１２の内部に設けられた正方形の貫通穴（回転空間１９）の中に収納されている。表示体３０は、筐体１２に対して斜め４５度の角度で回転軸５２を中心に回転するように軸支されている。筐体１２の上面にレリーズ釦が配設されており、筐体１２のうら面に、メニュー釦２４、フラッシュ釦２６、代替レリーズ釦２９が配設されている。表示体３０に設けられた撮影レンズ４０は、表示体３０のモニタ表示面３２の反対側に配設されている。撮影レンズ４０は、回転軸５２上に配置されている。
【００６３】
なお、図９に示した表示体３０は正方形であるが、四辺が等しい菱形であってもよい。図９の（Ａ）に示すように、表示体３０は、右上及び左下の二ヶ所の軸支部５０によって、軸支されているが、いずれか一方の軸支部５０によって軸支するようにしてもよい。
【００６４】
図９の（Ａ）に示すように、撮影レンズ４０は、初期位置ではおもて側に位置し、図９の（C）に示すように、回転位置ではうら側に位置している。初期位置では、モニタ表示部３２の長手方向が筐体１２の水平方向（図９の長辺方向）に延在して横長表示形態にあるとともに、受光部の長手方向が筐体１２の水平方向（図９の長辺方向）に延在している。すなわち、受光部の長手方向は、初期位置で、モニタ表示部３２の長手方向と並行な方向に延在している。したがって、初期位置では、複数人物や風景等の横長の被写体を撮影するのに好適である。
【００６５】
回転軸５２を中心にして表示部３０を本体１０に対して斜め４５度の角度で手動で回転させることにより、表示部３０は、図７の（C）に示した回転位置になる。表示部３０が初期位置にあるか回転位置にあるかは、第一実施形態で説明した表示部検出スイッチＡ６４，表示部検出スイッチＢ６６によって検出される。回転位置では、モニタ表示部３２が、その長手方向が縦方向（垂直方向）に延在する縦長表示形態となっている。また、受光部の長手方向も筐体１２の垂直方向（図９の短辺方向）に延在している。したがって、使用者自身等の縦長の被写体を撮影するのに好適である。回転位置で撮影する場合、上部に設けられたレリーズ釦２０を使ったり、うら面に設けられた代替レリーズ釦２９に切り替えてこの代替レリーズ釦２９を使ったりすることができる。また、縦長表示形態又は横長表示形態に応じて、文字の撮影情報を水平方向に表示するようにすることもできる。
【００６６】
次に、図１０を参照しながら、第四実施形態に係るデジタルカメラ１の動作について説明する。
【００６７】
ステップＳ３００において、デジタルカメラ１の動作が開始する。ステップＳ３０２において、電源スイッチがＯＮになっているのか否かが判断され、電源スイッチがＯＮになると、各種チェック動作を行いながらデジタルカメラ１が起動する。
【００６８】
ステップＳ３００において、撮像が開始して、撮影された画像がライブビューとしてモニタ表示部３２上に表示される（ステップＳ３０８）。
【００６９】
表示部検出スイッチＡ６４，表示部検出スイッチＢ６６によって、モニタ表示部３２がうら側にあるのかおもて側にあるのかが判断される（ステップＳ３１０）。モニタ表示部３２がうら側にあるのであれば、使用者が通常の撮影すなわち複数人物や風景等の横長の被写体を撮影すると判断して、レリーズ釦２０が機能するように設定される（ステップＳ３１２）。
【００７０】
他方、モニタ表示部３２がおもて側にあるのであれば、使用者自身等の縦長の被写体を撮影すると判断して、代替レリーズ釦２９が機能するように設定される（ステップＳ３１４）。
【００７１】
レリーズ釦２０の半押しにより、測光動作及び合焦動作を行ったあと、レリーズ釦２０が全押しされると（ステップＳ３１６）、シャッタが開いて露光が実行される（ステップＳ３１８）。撮影された画像は画像処理が行われたあと、画像処理後の画像がメモリカードに記録される（ステップＳ３２０）。電源スイッチがＯＦＦになると（ステップＳ２２２）、一連の撮影動作が終了する（ステップＳ３２４）。
【図面の簡単な説明】
【００７２】
【図１】本発明の第一実施形態に係るデジタルカメラの説明図である。（Ａ）は表示体が初期位置にあることを示す正面図であり、（Ｂ）は（Ａ）の背面図であり、（Ｃ）は表示体が回転位置にあることを示す正面図であり、（Ｄ）は（Ｃ）の背面図である。
【図２】図１に示したデジタルカメラのブロック図である。
【図３】図１に示したデジタルカメラの回転軸支部を拡大した図である。
【図４】図１に示したデジタルカメラの動作を説明するフローチャートである。
【図５】図１に示したデジタルカメラの使用形態を説明する図である。（Ａ）は初期位置での自分撮影を示しており、（Ｂ）は回転位置ので通常撮影を示している。
【図６】本発明の第二実施形態に係るデジタルカメラの斜視図である。（Ａ）は表示体が初期位置にあることを示す正面図であり、（Ｂ）は（Ａ）の背面図であり、（Ｃ）は表示体が回転位置にあることを示す正面図である。
【図７】本発明の第三実施形態に係るカメラ付き携帯電話の説明図である。（Ａ）は携帯電話として使用していることを示しており、（Ｂ）はカメラ撮影に使用していることを示している。
【図８】図７に示したカメラ付き携帯電話の動作を説明するフローチャートである。
【図９】本発明の第四実施形態に係るデジタルカメラの説明図である。（Ａ）は表示体が横長回転位置にあることを示す正面図であり、（Ｂ）は（Ａ）の背面図であり、（Ｃ）は表示体が縦長回転位置にあることを示す正面図であり、（Ｄ）は（Ｃ）の背面図である。
【図１０】図９に示したデジタルカメラの動作を説明するフローチャートである。
【符号の説明】
【００７３】
１  デジタルカメラ
２  カメラ付き携帯電話
１０  本体
１２  筐体
１３  傾斜面
１４  支柱部
１５  支持パイプ
１６  挿通穴
１９  回転空間
２０  レリーズ釦
２２  ジョグダイアル
２３  回転釦
２４  メニュー釦
２６  フラッシュ釦
２８  係止解除釦
２９  代替レリーズ釦
３０  表示体
３２  モニタ表示部（液晶ディスプレイ）
３３  傾斜面
３４  軸支受部
３５  軸支突出部
４０  撮影レンズ
４２  フラッシュ
４４  ファインダ
４６  操作釦
５０  軸支部
５２  回転軸
６０  制御部
６２  接続ケーブル
６４  表示部検出スイッチＡ
６６  表示部検出スイッチＢ
【図１】
2006340245.tif 000003
【図２】
2006340245.tif 000004
【図３】
2006340245.tif 000005
【図４】
2006340245.tif 000006
【図５】
2006340245.tif 000007
【図６】
2006340245.tif 000008
【図７】
2006340245.tif 000009
【図８】
2006340245.tif 000010
【図９】
2006340245.tif 000011
【図１０】
2006340245.tif 000012